(57)【要約】【課題】排紙部における付箋紙の紙詰まりを確実に防止することを課題とする。【解決手段】セットした付箋紙束Ｈから最上位の付箋紙を１枚ずつ引き剥がして、排紙部１３から装置外部へ向けて送り出すようにした付箋紙供給装置２において、付箋紙を引き剥がして、排紙部１３から装置外部へ送り出す搬送手段２２と、搬送手段２２の駆動を制御する制御手段３と、排紙部１３に設けられ、付箋紙の有無を検出する検出手段２４と、を備え、搬送手段２２による付箋紙の搬送終了後であって次の付箋紙の搬送開始時に、検出手段が「有」を検出している場合、制御手段３は、搬送手段２２の駆動を禁止することを特徴とする。【選択図】図３
2008024441.tif 000002
【特許請求の範囲】
【請求項１】
セットした付箋紙束から最上位の付箋紙を１枚ずつ引き剥がして、排紙部から装置外部へ向けて送り出すようにした付箋紙供給装置において、
前記付箋紙を引き剥がして、前記排紙部から装置外部へ送り出す搬送手段と、
前記搬送手段の駆動を制御する制御手段と、
前記排紙部に設けられ、前記付箋紙の有無を検出する検出手段と、を備え、
前記搬送手段による前記付箋紙の搬送終了後であって次の前記付箋紙の搬送開始時に、前記検出手段が「有」を検出している場合、
前記制御手段は、前記搬送手段の駆動を禁止することを特徴とする付箋紙供給装置。
【請求項２】
前記付箋紙の搬送終了後であって次の前記付箋紙の搬送開始時に、前記検出手段が「有」を検出している場合、排紙不良である旨を報知する排紙不良報知手段を、更に備えていることを特徴とする請求項１に記載の付箋紙供給装置。
【請求項３】
セットした付箋紙束から最上位の付箋紙を１枚ずつ引き剥がして、排紙部から装置外部へ向けて送り出すようにした付箋紙供給装置において、
前記付箋紙を引き剥がして、前記排紙部から装置外部へ送り出す搬送手段と、
前記搬送手段の駆動を制御する制御手段と、
前記排紙部に設けられ、前記付箋紙の有無を検出する検出手段と、
前記搬送手段による前記付箋紙の搬送終了後であって次の前記付箋紙の搬送開始時における、前記検出手段の「有」の検出を、搬送の度にカウントするカウント手段と、を備え、
前記制御手段は、前記カウント手段によるカウント数が、規定数を超えた場合に、前記搬送手段の駆動を禁止することを特徴とする付箋紙供給装置。
【請求項４】
前記付箋紙の搬送終了後に、前記検出手段が「有」を検出している場合、排紙完了である旨を報知する排紙完了報知手段を、更に備えていることを特徴とする請求項３に記載の付箋紙供給装置。
【請求項５】
前記カウント手段によるカウント数が規定数を超えた場合、排紙不良である旨を報知する排紙不良報知手段を、更に備えていることを特徴とする請求項３または４に記載の付箋紙供給装置。
【請求項６】
請求項１ないし５のいずれかに記載の付箋紙供給装置と、
前記搬送手段により搬送された付箋紙に印刷を行う印刷手段と、を備えたことを特徴とする付箋紙プリンタ。
【発明の詳細な説明】
【技術分野】
【０００１】
本発明は、付箋紙束から最上位の付箋紙を１枚ずつ引き剥がして供給する付箋紙供給装置および付箋紙プリンタに関するものである。
【背景技術】
【０００２】
従来、この種の付箋紙供給装置を備えた付箋紙プリンタとして、セットした付箋紙束から付箋紙を１枚ずつ引き剥がして、これに印刷を行った後、装置ケースに形成した排紙口から装置外部へ向けて送り出すものが知られている（特許文献１参照）。
【特許文献１】特開２００３−８１４５５号公報
【発明の開示】
【発明が解決しようとする課題】
【０００３】
しかしながら、上記の構成では、引き剥がした付箋紙は、搬送時において、その粘着部分が露出した状態で送られる。このため、付箋紙の搬送終了時において、付箋紙の多くは、排紙口から落下することなく露出した粘着部分が排紙口廻りに貼着して留まる。このとき、ユーザが付箋紙を取り去らずに（取り忘れて）、次の印刷処理が行われると、排紙口に複数の付箋紙が重なり、紙詰まりとなる虞がある。
【０００４】
本発明は、排紙部における付箋紙の紙詰まりを確実に防止することができる付箋紙供給装置および付箋紙プリンタを提供することを課題とする。
【課題を解決するための手段】
【０００５】
本発明の付箋紙供給装置は、セットした付箋紙束から最上位の付箋紙を１枚ずつ引き剥がして、排紙部から装置外部へ向けて送り出すようにした付箋紙供給装置において、付箋紙を引き剥がして、排紙部から装置外部へ送り出す搬送手段と、搬送手段の駆動を制御する制御手段と、排紙部に設けられ、付箋紙の有無を検出する検出手段と、を備え、搬送手段による付箋紙の搬送終了後であって次の付箋紙の搬送開始時に、検出手段が「有」を検出している場合、制御手段は、搬送手段の駆動を禁止することを特徴とする。
【０００６】
この構成によれば、次の付箋紙の搬送開始時点において、検出手段が「有」を検出している場合、制御手段は、排紙部から付箋紙が取り去られていないと判断し、搬送手段の駆動を禁止する。これにより、次の付箋紙が送られてくることが無いため、排紙部において、紙詰まり等が発生することはない。なお、検出手段として、光学的なセンサや機械的なスイッチを用いることが好ましい。
【０００７】
この場合、付箋紙の搬送終了後であって次の付箋紙の搬送開始時に、検出手段が「有」を検出している場合、排紙不良である旨を報知する排紙不良報知手段を、更に備えていることが、好ましい。
【０００８】
この構成によれば、付箋紙が排紙不良である旨を、ユーザに対し喚起することができる。また、同時に、ユーザに対し、付箋紙を取り去る必要がある旨、認識させることができる。なお、報知方法としては、文字表示、ランプ表示および音声等が考えられる。
【０００９】
本発明の他の付箋紙供給装置は、セットした付箋紙束から最上位の付箋紙を１枚ずつ引き剥がして、排紙部から装置外部へ向けて送り出すようにした付箋紙供給装置において、付箋紙を引き剥がして、排紙部から装置外部へ送り出す搬送手段と、搬送手段の駆動を制御する制御手段と、排紙部に設けられ、付箋紙の有無を検出する検出手段と、搬送手段による付箋紙の搬送終了後であって次の付箋紙の搬送開始時における、検出手段の「有」の検出を、搬送の度にカウントするカウント手段と、を備え、制御手段は、カウント手段によるカウント数が、規定数を超えた場合に、搬送手段の駆動を禁止することを特徴とする。
【００１０】
この構成によれば、規定のカウント数を超えた場合に、制御手段は、排紙部から付箋紙が取り去られていないと判断し、搬送手段の駆動を禁止する。これにより、排紙部に次の付箋紙が送られてくることが無いため、紙詰まりを防止することができる。一方、規定のカウント数内であれば、排出部の構造にもよるが、紙詰まりの可能性は低いと想定されるため、付箋紙の排紙を許容する。このため、例えば、付箋紙を連続印刷する場合、次々と排紙されてくる付箋紙に対し、都度、付箋紙の搬送を禁止する必要が無い。
【００１１】
この場合、付箋紙の搬送終了後に、検出手段が「有」を検出している場合、排紙完了である旨を報知する排紙完了報知手段を更に備えていることを特徴とするが、好ましい。
【００１２】
この構成によれば、付箋紙の搬送完了時において、検出手段が付箋紙「有」を検出している場合には、付箋紙が取り去られていないことおよび取り去る必要があることをユーザに対し喚起することができる。
【００１３】
この場合、カウント手段によるカウント数が規定数を超えた場合、排紙不良である旨を報知する排紙不良報知手段を更に備えていることが、好ましい。
【００１４】
この構成によれば、付箋紙が排紙不良である旨を、ユーザに対し喚起することができる。
【００１５】
本発明の付箋紙プリンタは、上記の付箋紙供給装置と、付箋紙に印刷を行う印刷手段と、を備えたことを特徴とする。
【００１６】
この構成によれば、付箋紙が取り去られていないことを検出することにより、排紙部における付箋紙の紙詰まりを確実に防止することができる。
【発明を実施するための最良の形態】
【００１７】
以下、添付の図面を参照して、本実施形態に係る付箋紙供給装置を付箋紙プリンタに組み込んだ場合について説明する。この付箋紙プリンタは、パソコンにより印刷データを作成し、作成した印刷データに基づいて、付箋紙印刷装置により、セットした付箋紙束から最上位の付箋紙を捲り上げ、捲り上げた付箋紙を引き剥がしながら印刷を行って、プリンタ外部に印刷済みの付箋紙を排出するものである。すなわち、付箋紙プリンタは、パソコンと付箋紙印刷装置とでシステム的に構築されている。
【００１８】
図１に示すように、付箋紙プリンタ１は、付箋紙束Ｈがセットされる付箋紙印刷装置２と、付箋紙印刷装置２にＵＳＢケーブル（ＵＳＢ）４等で接続され、付箋紙Ｈ１に印刷するための印刷データを作成・編集すると共に、付箋紙印刷装置２の各種駆動を制御するパソコン（制御手段）３とから構成されている。
【００１９】
パソコン３は、パソコン本体５と、パソコン本体５に接続され、データを入力するキーボード６およびマウス７と、入力結果等を表示するディスプレイ８とを有しており、パソコン本体５には、付箋紙印刷装置２に関するアプリケーションソフト（プログラム）やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙印刷装置２を制御するようになっている。
【００２０】
図２に示すように、付箋紙印刷装置２は、装置ケース１５により外殻が形成され、装置ケース１５の内部には、付箋紙束Ｈがセットされている。そして、付箋紙印刷装置２は、セットした付箋紙束Ｈから１枚ずつ引き剥がした付箋紙Ｈ１に対し、パソコン３で作成した所望のキャラクタ列を印刷し、これを装置ケース１５に形成した排紙部１３から送り出すようにしている。
【００２１】
装置ケース１５は、全体として小型に形成されており、下面には付箋紙束Ｈをケース内部に導入するための付箋紙導入開口１７が形成されている。排紙部１３は、前面中央に設けられると共に印刷済み付箋紙Ｈ１をケース外部に送り出すための水平スリット状の排紙口１６と、排紙口１６廻りに設けられ、引き剥がされた印刷済み付箋紙Ｈ１が受け渡される受け部１４と、が形成されている。受け部１４は、排紙口１６を境にケース内部からケース外部へ延在するよう水平に設けられており、受け部１４のケース内部位には、後述する検出センサ２４が臨むよう検出開口１９が形成されている。さらに、装置ケース１５の上面には、インクリボンＲを収容したリボンカートリッジＣを装着すると共に、メンテナンスのための開閉蓋１８が取り付けられている。
【００２２】
図３に示すように、付箋紙束Ｈは、裏面の基端部を部分糊付けした複数の付箋紙Ｈ１から構成されている。すなわち、付箋紙束Ｈは、同一形状（長方形）且つ同一サイズの複数の付箋紙Ｈ１を、それぞれ裏面の基端部を部分糊付けして積層したものである。付箋紙Ｈ１は、付箋紙束Ｈから１枚ずつ剥離可能に構成されていると共に、剥離後に、この基端部の糊付け部（接着剤）を介して、手帳等の被貼着物に再貼着可能に構成されている。
【００２３】
図３に示すように、付箋紙印刷装置２は、付箋紙束Ｈをセットする付箋紙ホルダ２０と、セットした付箋紙束Ｈの最上位の付箋紙Ｈ１を捲り上げ、後述する挟持位置５５に臨ませると共に装置外部に排紙する搬送手段２２と、挟持位置５５に臨んだ付箋紙Ｈ１に印刷を行う印刷手段２３と、装置ケース１５内の排紙口１６近傍に配置され、付箋紙Ｈ１の有無を検出する検出センサ（検出手段）２４と、検出センサ２４の検出結果に基づいて付箋紙Ｈ１が排紙不良であることをランプ表示する報知手段２５と、を備え、これらは上記した装置ケース１５内に収容されている。
【００２４】
付箋紙ホルダ２０は、所定サイズの付箋紙束Ｈを保持すると共に、上面を開放したボックス状に形成されており、付箋紙束Ｈを水平に載置するセットステージ３０と、セットステージ３０を上下方向にスライド自在に案内する四周枠状の導入ガイド３１と、複数のコイルバネ３２を介してセットステージ３０を下側から支持すると共に、付箋紙導入開口１７を閉塞する蓋体３３と、から構成されている。また、導入ガイド３１の上端部の前後には、付箋紙束Ｈの自由端部および糊付け部を相対的に押さえる前後一対の位置規制部３４が内向きの突設されている。セットステージ３０は、複数のコイルバネ３２により上方に付勢されており、これにセットされた付箋紙束Ｈは、付箋紙Ｈ１が１枚ずつ送り出され目減りしても、その最上位に位置する付箋紙Ｈ１の高さレベルが一定となっている。
【００２５】
付箋紙ホルダ２０は、装置ケース１５に対して蓋体３３がスナップイン形式で掛け止めされ、着脱自在となっている。すなわち、付箋紙ホルダ２０に付箋紙束Ｈをセットするときには、付箋紙ホルダ２０を装置ケース１５内部から取り外し、付箋紙ホルダ２０に付箋紙束Ｈを入れた後、再び付箋紙ホルダ２０を装置ケース１５内部に取り付ける。この状態で、蓋体３３の下面と装置ケース１５の下面とが面一となって、付箋紙導入開口１７が閉塞される。なお、付箋紙ホルダ２０をカセット式で装置ケース１５に装着する構成としてもよい。すなわち、付箋紙ホルダ２０を、上面を開放した箱状の付箋紙束ケースと、複数のコイルバネを介して付箋紙束ケースに収容したセットステージとで構成し、付箋紙束Ｈのセットを行う際には、付箋紙ホルダ２０ごと装置ケース１５内部から取り出して、付箋紙をセットするようにする。
【００２６】
搬送手段２２は、ピックアップ位置４８に臨んだ付箋紙束Ｈの最上位の付箋紙Ｈ１を捲り上げるよう構成されており、最上位の付箋紙Ｈ１に転接してこれを捲り上げると共に後述するサーマルヘッド５０との間に捲り上げた付箋紙Ｈ１を挟持して回転送りする送りローラ５１と、送りローラ５１の駆動源となる駆動モータ５２と、駆動モータ５２の駆動力を送りローラ５１に伝達する減速ギヤ列５３と、送りローラ５１を付箋紙Ｈ１を捲り上げるピックアップ位置４８と付箋紙Ｈ１をサーマルヘッド５０と挟持する挟持位置５５との間で移動させるローラ移動手段５４と、を備えている。
【００２７】
送りローラ５１は、捲り上げた付箋紙Ｈ１の自由端側の裏面に転接すると共に、挟持位置５５において、これを引き剥がしながら回転送りするものであり、付箋紙Ｈ１に直接転接するローラ本体５８と、ローラ本体５８の回転軸としてのローラ駆動軸５９とを有している。ローラ駆動軸５９は、両端部をローラ移動手段５４に回転自在に両持ちで保持され、減速ギヤ列５３を介して伝達される駆動モータ５２の動力により回転する。また、送りローラ５１は、付箋紙Ｈ１に転接してこれを捲り上げる機能と、後述するサーマルヘッド５０と協働するプラテンローラの機能とを併せ持つようになっている。
【００２８】
ローラ移動手段５４は、先端部でローラ駆動軸５９を回転自在に保持すると共に、基端部を中心に回動（揺動）自在に構成された一対の回動アーム６０を有しており、例えば、一方の回動アーム６０をキャリアとし、且つ上記の減速ギヤ列５３を構成する一部のギヤを利用した遊星歯車機構と、そのギヤの回転力を回動アーム６０の回動動作に変換するカム機構とにより構成されている。すなわち、遊星歯車機構による円運動が、カム機構により回動アーム６０の往復回動運動に変換されるようになっている。この回動アーム６０の往復回動運動により、送りローラ５１が、回転しながらピックアップ位置４８と挟持位置５５との間で移動する。
【００２９】
印刷手段２３は、排紙口１６の近傍に配設されると共に送りローラ５１と略同一幅に形成されたサーマルヘッド５０と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール６１と、インクリボンＲを巻き取るリボン巻取りリール６２と、これらを回転自在に収容するカートリッジケース（図示省略）とから構成されている。また、リボン巻取り機構は、送りローラ５１が挟持位置５５へ移動すると、上記の減速ギヤ列５３と連結して駆動モータ５２からの動力が入力するようになっており、付箋紙Ｈ１の送りと併せて、インクリボンＲの巻取り（送り）を開始するようになっている。
【００３０】
このようにして構成された印刷手段２３は、パソコン３からの制御信号により、サーマルヘッド５０および駆動モータ５２が制御されながら、付箋紙Ｈ１に対する印刷を行う。すなわち、挟持位置５５に移動した送りローラ５１とサーマルヘッド５０との間で、付箋紙Ｈ１とインクリボンＲとを挟み込み、これらを併走させて送りつつ、サーマルヘッド５０の発熱駆動により付箋紙Ｈ１の表面に印刷を行う。
【００３１】
検出センサ２４は、挟持位置５５に上動した送りローラ５１に対して送り方向の下流側、すなわち送りローラ５１と排紙口１６との間に配設され、且つ受け部１４に形成した検出開口１９に臨んでいる。検出センサ２４は、詳細は図示しないが、付箋紙Ｈ１の「有・無」を検出する、透過型あるいは反射型のフォトセンサで構成されている。
【００３２】
検出センサ２４による検出信号は、パソコン３に入力され、その検出結果に基づいて、パソコン３は、搬送手段２２および印刷手段２３の駆動を制御する。すなわち、搬送手段２２による付箋紙Ｈ１の搬送終了後であって次の付箋紙Ｈ１の搬送開始時に、検出センサ２４が「有」を検出している場合、パソコン３は、搬送手段２２および印刷手段２３の駆動を禁止するよう制御する。すなわち、次の付箋紙Ｈ１を搬送する時点において、パソコン３は、排紙口１６から付箋紙Ｈ１が取り去られていないと判断し、搬送手段２２および印刷手段２３を駆動しないようにしている。
【００３３】
報知手段２５は、装置ケース１５の前面に設けられた表示ランプ（排紙不良報知手段）８２であり、パソコン３は、検出センサ２４の検出結果により、表示ランプ８２を点灯または消灯させるように構成されている。具体的には、搬送手段２２による付箋紙Ｈ１の搬送終了後であって次の付箋紙Ｈ１の搬送開始時に、検出センサ２４が「有」を検出した場合、表示ランプ８２が点灯し、それ以外の場合は、消灯するよう構成されている。なお、表示ランプ８２として、赤ランプと青ランプとの２つのランプを設けておき、付箋紙Ｈ１の搬送終了直後は青ランプを点灯して、付箋紙Ｈ１を取り去ることを促し、付箋紙Ｈ１の搬送開始時は赤ランプを点灯して、付箋紙Ｈ１を取り去る必要があることを促すようにしてもよい。また、表示ランプ８２を点滅させて、付箋紙Ｈ１を取り去ることを促し、表示ランプ８２を点灯させて、付箋紙Ｈ１を取り去る必要があることを促すようにしてもよい。
【００３４】
ここで、図４を参照して、付箋紙Ｈ１の捲り上げから排紙に至る一連の動作について説明する。印刷待機状態において、送りローラ５１は、ピックアップ位置４８にあり、付箋紙ホルダ２０にセットされた付箋紙束Ｈの最上位の付箋紙Ｈ１の表面に転接している（図４（ａ）参照）。
【００３５】
ユーザがパソコン３により印刷開始を指示すると、送りローラ５１は、回転して付箋紙Ｈ１の捲り上げ動作を開始する。すなわち、送りローラ５１が最上位の付箋紙Ｈ１に対し、表面の自由端側に転接することで、その長手方向の中間部が次第に上方へと湾曲するように撓んでいく（図４（ｂ）参照）。
【００３６】
捲り上がっていく付箋紙Ｈ１の先端が送りローラ５１の下側を通過した直後に、送りローラ５１が回転しながら上方へ移動して付箋紙束Ｈから離間すると、付箋紙Ｈ１は、送りローラ５１の回転力により、送りローラ５１の上側に撥ね上げられ、自由端部が送りローラ５１に乗り上げる（図４（ｃ）参照）。
【００３７】
付箋紙Ｈ１を載せた送りローラ５１は、続いて、回転（自転）しながら挟持位置５５に移動（公転）する（図４（ｄ）参照）。送りローラ５１が挟持位置５５に達してサーマルヘッド５０との間に付箋紙Ｈ１を挟持すると、これに併せてインクリボンＲの送りが開始される（図４（ｅ）参照）。
【００３８】
送りローラ５１は、付箋紙Ｈ１の裏面に転接し、これを付箋紙束Ｈから引き剥がし、自由端側を先にして排紙口１６に向けて回転送りすると同時に、プラテンローラとして機能する。すなわち、糊付け部を引き剥がしながら、サーマルヘッド５０と送りローラ５１とが協働して、付箋紙Ｈ１の表面に自由端側から印刷を行う。
【００３９】
そして、付箋紙Ｈ１の糊付け部が送りローラ５１に達したところ（図４（ｆ）参照）で、送りローラ５１は、挟持位置５５からピックアップ位置４８に移動し、印刷済み付箋紙Ｈ１は、排紙口１６の受け部１４へ受け渡される（図４（ｇ）参照）。このとき、検出センサ２４は、付箋紙Ｈ１の「有」を検出すると共に、表示ランプ８２が点灯して、ユーザへ印刷後の付箋紙Ｈ１を取り去るよう喚起する。
【００４０】
ここで、検出センサ２４の検出結果が「有」のままのとき、すなわちユーザにより付箋紙Ｈ１が取り去られていないときに、次の印刷開始を指示したとしても、パソコン３により、駆動モータ５２およびサーマルヘッド５０が駆動しないよう構成されている。一方、ユーザが付箋紙Ｈ１を取り去ることで、検出センサ２４の検出結果が「無」となれば、パソコン３は、駆動モータ５２およびサーマルヘッド５０の駆動禁止を解除して、印刷待機状態とする。
【００４１】
以上の構成によれば、印刷終了後、排紙口１６の受け部１４に付箋紙Ｈ１が貼着しても、搬送手段２２の駆動を禁止することで、次の付箋紙Ｈ１が送られてくることが無いため、紙詰まりを確実に防止することができる。なお、本実施形態では、付箋紙供給装置を付箋紙プリンタ１に適用したが、付箋紙印刷装置２に印刷データの作成・編集機能や各部の制御機能を設け、付箋紙印刷装置２を単体として用いて、付箋紙Ｈ１に対する印刷を行うようにしてもよい。
【００４２】
次に、図５を参照して、第２実施形態の付箋紙プリンタ１について説明する。なお、重複する部分を省略し、異なる部分についてのみ説明する。この付箋紙プリンタ１は、搬送手段２２による搬送終了後であって次の搬送開始時に、検出センサ２４の「有」の検出を、搬送の度にカウントするカウントプログラム（カウント手段）がＣＤ−ＲＯＭ９内に記憶されており、パソコン３は、このカウントプログラムを実行させて、カウント数が規定の回数を超えた場合に、搬送手段２２および印刷手段２３の駆動を禁止するよう構成されている。また、報知手段２５は、搬送が完了した旨を報知する搬送完了表示ランプ（搬送完了報知手段）１００と、排紙不良である旨を報知する排紙不良表示ランプ（排紙不良報知手段）１０１と、で構成されている。この場合、第１実施形態と同様に、搬送完了表示ランプ８２を青ランプとし、排紙不良表示ランプ８２を赤ランプとすることが、好ましい。なお、報知手段２５を音声により報知するよう構成しても良い。
【００４３】
印刷終了後の付箋紙Ｈ１が、排紙口１６の受け部１４へ受け渡されると、検出センサ２４は、付箋紙Ｈ１の「有」を検出し、この「有」検出を、カウントプログラムによりワンカウントすると共に、この「有」検出に基づいて、パソコン３は、搬送完了表示ランプ８２を点灯させて、ユーザへ印刷後の付箋紙Ｈ１を取り去るよう喚起する。ここで、ユーザにより付箋紙Ｈ１が取り去られていない状態で、次の付箋紙Ｈ１の印刷を行い、印刷後の付箋紙Ｈ１が排紙口１６の受け部１４へ受け渡されると、検出センサ２４は、再び付箋紙Ｈ１の「有」を検出すると共に、カウントプログラムにより更にワンカウントされる。このカウント数が設定した規定数を超えると、パソコン３は、駆動モータ５２およびサーマルヘッド５０の駆動を禁止させると共に、排紙不良表示ランプ８２を更に点灯させて（あるいは、搬送完了表示ランプ８２を消灯させてから、排紙不良表示ランプ８２を点灯）、ユーザへ排紙不良である旨を報知する。一方、ユーザが付箋紙Ｈ１を取り去り、検出センサ２４の検出結果が「無」となれば、カウント数はクリアになると共に、パソコン３は、駆動モータ５２およびサーマルヘッド５０の駆動禁止を解除して、印刷待機状態とする。
【００４４】
以上の構成によれば、規定のカウント数を超えた場合は、次の付箋紙Ｈ１が送られてくることが無いため、紙詰まりを防止することができる。一方、規定のカウント数内であれば、付箋紙Ｈ１の排紙を許容するため、次々と排紙されてくる付箋紙Ｈ１に対し、都度、付箋紙Ｈ１の搬送を禁止する必要が無い。なお、実施形態のものでは、付箋紙Ｈ１が２〜４枚程度であれば、紙詰まりの可能性は低いため、規定のカウント数は３〜５としている。
【図面の簡単な説明】
【００４５】
【図１】本実施形態に係る付箋紙プリントシステムの模式図である。
【図２】本実施形態に係る付箋紙プリンタの外観斜視図である。
【図３】本実施形態に係る付箋紙プリンタの内部模式図である。
【図４】付箋紙プリンタの一連の動作の図である。
【図５】第２実施形態に係る付箋紙プリンタの外観斜視図である。
【符号の説明】
【００４６】
１…付箋紙プリンタ  ２…付箋紙印刷装置  ３…パソコン  １３…排紙部  １４…受け部  １５…装置ケース  １９…検出開口  ２４…検出センサ  ２５…報知手段  ８２…表示ランプ  １００…搬送完了表示ランプ  １０１…排紙不良表示ランプ  Ｈ…付箋紙束  Ｈ１…付箋紙
【図１】
2008024441.tif 000003
【図２】
2008024441.tif 000004
【図３】
2008024441.tif 000005
【図４】
2008024441.tif 000006
【図５】
2008024441.tif 000007